(57)【要約】【課題】縫いに要する各種作業の順序の選択を自在且つ容易に行う。【解決手段】  縫製に要する各種の作業を実行する複数の作動装置１４，１６，１８，２２，２６，３２，３６，４２，４４，５２，５６と、各種の作業を複数の工程に分けて当該各工程を順番に実行するミシンにおいて、入力操作により各工程の実行を指令する指令信号を順次発生する操作手段９２と、各種の作業を各工程に割り当てる設定手段９１と、各作業が割り当てられた工程を操作手段により順次発生される指令信号に従って順番に実行されるように各作動装置の動作制御を行う動作制御手段６０とを備えている。【選択図】図１
2007300970.tif 000002
【特許請求の範囲】
【請求項１】
縫製に要する各種の作業を実行する複数の作動装置と、
前記各種の作業を複数の工程に分けて当該各工程を順番に実行するミシンにおいて、
入力操作により前記各工程の実行を指令する指令信号を順次発生する操作手段と、
前記各種の作業を前記各工程に割り当てる設定手段と、
前記各作業が割り当てられた工程を前記操作手段により順次発生される指令信号に従って順番に実行されるように前記各作動装置の動作制御を行う動作制御手段とを備えることを特徴とするミシン。
【請求項２】
前記各作業を実行の有線順位毎にグループ化した実行順情報を記憶する実行順記憶手段と、
前記設定手段による割り当ての際に、前記実行順情報に基づいて割り当て可能なグループを順次表示する表示手段を有することを特徴とする請求項１記載のミシン。
【請求項３】
前記実行順情報には、実行順が隣接して前後する二つのグループ内の作業の同一の工程への割り当ての有効無効を設定する重複登録可否情報が含まれ、
前記設定手段は、前記重複登録可否情報が無効の場合には、前記二つのグループに含まれる各作業の同一の工程への割り当てを禁止することを特徴とする請求項２記載のミシン。
【発明の詳細な説明】
【技術分野】
【０００１】
本発明は、複数作業を順番に実行するミシンに関する。
【背景技術】
【０００２】
縫製において複数の作業を順次実行するミシン、例えば、玉縁縫いミシンの場合には、左右それぞれの大押さえによる身頃生地のセット、バインダーによる玉布のセット、折り込み板による身頃生地の折り返し、左右それぞれのフラップ押さえによるフラップ布の保持、ダーツ延ばしによる身頃生地の押さえ等、多数の前作業を経て縫製が開始される。そして、かかるミシンでは、複数段階に切り替え可能な操作手段である操作ペダルを用いて、ペダルの各段ごとに、各作業を順番に実行させるようになっていた。
上述した複数の作業は、実行の順番の先後を入れ替えられないものもあるが、実行すべき縫いの態様やミシン使用者の作業性向上の要求に応じて順番を選択すべき要求も存在することから、従来の玉縁縫いミシンでは、ペダルの各段にごとにいずれの作業が実行されるかを定めたパターンデータを複数用意して記憶し、その中から任意のパターンを選択して使用していた（例えば、特許文献１参照）。
【特許文献１】特許２６７９０７６号公報
【発明の開示】
【発明が解決しようとする課題】
【０００３】
しかしながら、上記従来例にあっては、ペダルの各段と実行作業の組み合わせを示すパターンは無数にありながらも、予め要されたパターンの中から選択しなければならならず、個別具体的となる種々の要求に応じることはできなかった。また、より多くの要求に応じるためにパターンの種類を数多く用意することは可能であるが、その場合には、多くのパターンの中から的確なものを見つけなければならず、選択作業が繁雑となるという不都合があった。
本発明は、縫いに要する各種作業の順序の選択を自在且つ容易に行うことをその目的とする。
【課題を解決するための手段】
【０００４】
請求項１記載の発明は、縫製に要する各種の作業を実行する複数の作動装置と、前記各種の作業を複数の工程に分けて当該各工程を順番に実行するミシンにおいて、入力操作により前記各工程の実行を指令する指令信号を順次発生する操作手段と、前記各種の作業を前記各工程に割り当てる設定手段と、前記各作業が割り当てられた工程を前記操作手段により順次発生される指令信号に従って順番に実行されるように前記各作動装置の動作制御を行う動作制御手段とを備える、という構成を採っている。
【０００５】
請求項２記載の発明は、請求項１記載の発明と同様の構成を備えると共に、前記各作業を実行の優先順位毎にグループ化した実行順情報を記憶する実行順記憶手段と、前記設定手段による割り当ての際に、前記実行順情報に基づいて割り当て可能なグループを順次表示する表示手段を有する、という構成を採っている。
なお、「優先順位毎にグループ化」されて形成される各グループは優先的に実行される順位が決まっているが、実行順位が隣接する二つのグループ間において、当該各グループに属する作業同士が同じ工程に割り当てられることを妨げる意味ではない。
つまり、実行順情報においては、「優先順位」が先のグループが後のグループよりも実行順位が後ろになることはないように定めているが、「優先順位」が先のグループが隣接する次のグループと同じ工程で実行されることまでは制限しない。
【０００６】
請求項３記載の発明は、請求項２記載の発明と同様の構成を備えると共に、前記実行順情報には、実行順が隣接して前後する二つのグループ内の作業の同一の工程への割り当ての有効無効を設定する重複登録可否情報が含まれ、
前記設定手段は、前記重複登録可否情報が無効の場合には、前記二つのグループに含まれる各作業の同一の工程への割り当てを禁止する、という構成を採っている。
【発明の効果】
【０００７】
請求項１記載の発明は、順番に実行される各工程に対して設定手段により任意に各種作業が割り当てられる。そして、縫製時には操作手段により入力操作が行われると指令信号に応じて各工程に属する作業が順番に実行される。
このように順番に推移する各工程について任意に作業の割り当てが可能であることから、実行すべき縫いの態様やミシン使用者の作業性向上の要求に応じて、縫いに要する各種作業の順序の選択を自在に行うことが可能となる。また、多くの組み合わせの中から適正なものを選択する必要がないので、各種作業の順序の選択を容易且つ円滑に行うことが可能となる。
【０００８】
請求項２記載の発明は、設定作業時において、表示手段により実行順情報に基づいて割り当て可能なグループに属する作業が表示されるので、工程に割り当てられる各種作業の順番の適正化を図ることが可能となる。
また、設定作業において、作業が適正に行われるか否かの判断を不要とすることができ、設定作業の容易迅速化を図ることが可能となる。
なお、実行の優先順位が定められた各グループに各作業がそのように分類されるかについては、先後の順番が入れ替わることで縫いが正しく行われなかったり、各種作業の作動装置に破損や故障などを生じないように配慮されることが望ましい。
【０００９】
請求項３記載の発明は、実行順が隣接して前後する二つのグループ内の作業の同一の工程への割り当ての有効無効を設定する重複登録可否情報が含まれるので、各グループに属する作業間で、順位を連続させながら同じ工程での実行を回避させる設定が可能となり、工程に割り当てられる各種作業の順番のさらなる適正化を図ることが可能となる。
【発明を実施するための最良の形態】
【００１０】
（玉縁縫いミシンの全体構成）
以下、本発明の実施の形態である玉縁縫いミシン１０について図１乃至図２３に基づいて説明する。図１は玉縁縫いミシン１０の全体の概略構成を示すブロック図である。
上記玉縁縫いミシン１０は、身生地の上に玉布を重ねて二本の平行な縫い目を形成すると共に縫い目の間に直線切れ目を形成し、その両端部にＶ字切れ目を形成する。また、一方の縫い目の形成時にフラップ布の縫いつけが行われる。また、身生地には予めダーツが形成されており、縫製時にダーツによるふくらみを生じないようにダーツ延ばしが行われる。
【００１１】
かかる玉縁縫いミシン１０は、身生地などの縫製物が載置される図示しないテーブルと、テーブル上の身生地を一対の大押さえで押さえて所定の布送り方向に沿って搬送する搬送手段としての大押さえ送り機構１２と、身生地に縫着する玉布にバインダーを当てて当該玉布の両側部を折り返すバインダー機構２０と、大押さえ送り機構１２によりＸ軸方向に沿って送られる身生地に対してミシンモータ２６により二本の縫い針を上下動させて縫い目を形成する針上下動機構２４と、縫い針の布送り方向下流側で動メスを昇降させて身生地に切れ目を形成するメス機構３０と、縫い針から縫い糸を捕捉して下糸を絡ませる釜機構（図示略）と、テーブル上に設置されて針上下動機構２４とメス機構３０とを格納保持するミシンフレーム（図示略）と、直線状の切れ目の両端となる位置に略Ｖ字状の切れ目を形成するコーナーメス機構３４と、大押さえの上面に載置されたフラップ布を保持するフラップ保持機構４０と、テーブル上に載置された身生地をテーブル上面に吸着させるバキューム装置５０と、ダーツが形成された身生地のダーツによる膨らみを押さえるために引き延ばす際に布端の保持を行うダーツ延ばし装置５４と、上記各種作業を行う装置又は機構の動作制御を行う動作制御手段６０と、縫製に関する各種の設定や現在のミシンの状態を表示すると共に各種の設定を行うための画面選択やコマンド、数値の入力を行うための表示入力手段９１と、縫製に関する各種の作業を工程ごとに切り替えるための人為的な入力が行われる操作ペダル９２とを備えている。
そして、玉縁縫いミシン１０は、この操作ペダル９２の操作により、上述した大押え送り機構１２による身生地の搬送、ミシンモータ２６により駆動される２本の縫い針の上下動による縫い目の形成、メス機構３０による直線きれい目の形成及びコーナメス機構３４による直線切れ目の両端部への略Ｖ字状切れ目のなど、各種の作業を実行する複数の作動装置による縫製に要する各種の作業を、複数の工程に分けて当該各工程を順番に実行する。
なお、上記大押さえ送り機構１２，バインダー機構２０，針上下動機構２４，メス機構３０，フラップ保持機構４０，バキューム装置５０，ダーツ延ばし装置５４による各種作業の駆動源となる作動装置は、いずれも図示しないインターフェイス及びドライバ回路を介して動作制御手段６０により制御されるようになっている。
【００１２】
（各種の作動装置）
大押さえ機構１２は、テーブル上の身生地を押さえるために昇降可能に支持された左右一対の大押さえを備え、各大押さえはエアシリンダである右昇降シリンダ１６と左昇降シリンダ１８とにより個別に行われる。これらのシリンダ１６，１８は動作制御手段６０に制御される図示しない電磁弁により作動の切り替えが行われる。
また、大押さえ機構１２は、各大押さえを支持するガイド機構により所定の布送り方向に沿って移動させる押さえモータ１４を備え、これにより身生地その他の被縫製物を布送り方向に沿って搬送するようになっている。
【００１３】
バキューム装置５０は、テーブルの布セット位置に設けられた無数の吸引孔とこれに連通する吸引ポンプ５２とを備え、吸引ポンプ５２の作動によりテーブル上面に身生地の吸着保持を行う。
ダーツ延ばし装置５４は、ダーツが形成された身生地の一端部を上方から押さえつけるためのエアシリンダである押圧シリンダ５６を備え、当該押圧シリンダ５６は動作制御手段６０に制御される図示しない電磁弁により作動の切り替えが行われる。なお、ダーツ延ばし装置５４は、ダーツを引き延ばすために身生地の一端部を押圧保持するための手段であり、引き延ばし作業は作業者が保持された身生地の他端部を引っ張ることで行われる。
【００１４】
バインダー機構２０は、断面逆さＴ字状であって底板をくるむように玉布を沿わせると共にその状態で玉布を布送り方向に送り出すためのバインダーと、当該バインダーの昇降を行うエアシリンダとしてのバインダー昇降シリンダ２２とを備えている。
バインダーは身生地のセット位置の上方で昇降可能に支持され、身生地の上面に玉布がセットされるとバインダー昇降シリンダ２２によりバインダーを下降させて当該バインダーの上側に玉布の両端部を折り返させるようになっている。また、図示はしないが大押え送り機構１２の各大押さえにはバインダーの上側に玉布の両端部を折り返させるために進退移動する折り込み板が設けられており、バインダーが下降すると連動して作動するようになっている。
当該バインダー昇降シリンダ２２は動作制御手段６０に制御される図示しない電磁弁により作動の切り替えが行われる。
【００１５】
フラップ保持機構４０は、バインダーに玉布が保持された後に左右の右フラップ用シリンダ４２と左フラップ用シリンダ４４とを備えている。フラップ布は通常は左右いずれか一方の大押さえの上面に選択的にセットされるが、玉縁縫いミシン１０では、両方のフラップ用シリンダ４２，４４が作動するように制御される。
当該各フラップ用シリンダ４２，４４は動作制御手段６０に制御される図示しない電磁弁により作動の切り替えが行われる。
【００１６】
針上下動機構１２は、それぞれ縫い針を下端部に保持する二本の針棒と、ミシンモータ２６により回転駆動される上軸と、上軸の回転を上下動に変換して各針棒に伝達するクランク機構とを備えている。
【００１７】
メス機構３０は、直線状の切れ目を形成する動メスと、動メスを下端部に備えるメス棒と、メス棒の上下動の駆動源となるメスモータ３２と、メスモータ３２からの回転駆動力を上下方向の往復の駆動力に替えてメス棒に伝達するクランク機構とを備えている。
即ち、メスモータ３２は、身生地の送り動作と共に回転駆動を行い、伝達機構により動メスを上下動させて、メス幅に応じた切れ目を繰り返し形成して直線状の切れ目を形成する。
【００１８】
釜機構は、二本の縫い針に個別に対応する二つの水平釜と、各水平釜に回転駆動力を付与する下軸とを有し、下軸はミシンモータ２６により回転駆動されるようになっており、釜機構単独で作動装置としての駆動源を備えてはいない。
【００１９】
コーナーメス機構３４は、テーブル１１の下方において出没可能に支持された一対のメスからなるコーナーメスと、コーナーメスの昇降を行うエアシリンダとしてのメス昇降シリンダ３６とを備え、コーナーメスの設置位置に搬送された身生地をメス昇降シリンダ３６により上昇されるコーナーメスで下方から突き通すことで直線状の切れ目の両端となる位置に略Ｖ字状の切れ目Ｖを形成するものである。
当該メス昇降シリンダ３６は動作制御手段６０に制御される図示しない電磁弁により作動の切り替えが行われる。
【００２０】
（表示入力手段）
表示入力手段９１は表示パネルとその表示画面の表面に貼着されるシート状のタッチセンサからなり、シートの表面において外部から接触された位置を検出する。表示パネルには表示情報と共に各種入力を行うためのスイッチ画面が表示され、当該各スイッチ画面に対してオペレータが指先を接触させることでスイッチの入力を検知することができるようになっている。つまり、表示パネルとタッチセンサとの協働により、各種の設定を行うための画面選択やコマンド、数値の入力を行うための設定入力手段として機能することとなる。
具体的には、表示入力手段９１からは、玉縁縫いを行うための各種のパラメータ、例えば、縫いピッチ、ミシンモータ２６の回転速度、玉縁縫いの縫い長さ（縫い目を形成する際の大押さえ送り機構１２による搬送量）、身生地のセットを前基準位置、後基準位置のいずれで行うか等の設定入力や、後述する操作ペダル９２によって実行が指示される各工程ごとに作業割り当てを行うための入力が作業者により行われる。
【００２１】
（操作ペダル）
操作ペダル９２は、踏み込み操作による操作位置に応じて七工程まで実行の指示が可能であって、作業者の足による踏み込み操作により回動可能なペダル部材と、ペダル部材の回動操作によりその回動角度量に応じた指令信号を順次発生し、その指令信号を動作制御手段６０に出力するボリュームとを備えている。
上記ボリュームは、ペダル部材の踏み込み操作量に応じて抵抗値が変化するように構成され、動作制御手段６０はボリュームから入力される信号の電圧の変化により操作位置の変化を段階的に認識することが可能となっている。
なお、ペダル部材は前踏みと後踏みとが可能となっているが、いずれの場合にも、各工程の切り替えは一段ごとに推移するようになっており、飛び越しでの段数切り替えは行われない。
【００２２】
動作制御手段６０では、操作ペダル９２が操作位置に応じて順次発生する指令信号毎に縫製における一つの工程を実行するようにミシン１０の動作制御を実行する。そして、動作制御手段６０では、各工程ごとに後述する縫製作業に要する複数の機能を割り当てている。つまり、操作ペダル９２が一段階踏み込まれるたびに、各工程に対応する指令信号が発生し、各入力段階に対応する工程の機能が実行されるようになっている。つまり、操作ペダル９２は、入力操作により各工程の実行を指令する指令信号を発生する操作手段として機能する。
【００２３】
（動作制御手段）
動作制御手段６０は、各種の制御を行うＣＰＵ６１と、機能設定プログラム６２ａと縫製プログラム６２ｂとが記憶されたプログラムメモリ６２と、機能分類データ６３ａ，ペダル機能設定データ６３ｂ及び縫製データ６３ｃが書き込まれているデータメモリ６３とを備えている。
【００２４】
縫製データ６３ｃには、表示入力手段６５から入力された玉縁縫いを行うための各種のパラメータ（縫いピッチ、ミシンモータ２６の回転速度、玉縁縫いの縫い長さ、縫い針，動メス、コーナーメスの配置や動作量等）が含まれている。
【００２５】
機能分類データ６３ａは、前述した各種の作動装置が実行する各種の作業（機能）である、ダーツ延ばし装置下降Ａ、バキューム装置吸引Ｂ、大押さえ装置前進動作（身生地のセット位置への移動動作）Ｃ、右側大押さえ装置下降Ｄ、左側大押さえ装置下降Ｅ、バインダー下降（折り込み板作動）Ｆ、右側フラップ押さえ下降Ｇ、左側フラップ押さえ下降Ｈ、縫製スタート（ミシンモータ、メスモータ等の作動）Ｉについて、各作業の実行の優先順位毎に各機能群としてのグループ化して記憶されている。
つまり、この機能分類データ６３ａは、操作ペダル９２の操作位置に応じて実行が指令される各工程ごとに各機能を割り当てる際に参照される実行順情報である。
【００２６】
図２は機能分類データ６３ａの内容を示す概念図ある。この図２に示すように、機能分類データ６３ａは、上述した各機能Ａ〜Ｉが第１から第５の順番で実行されるように定められた各グループとしての第１〜第５機能群のいずれに属するかを示している。
かかる機能分類データ６３ａは、同じ機能群に属する複数の機能については、実行の先後の順はいずれであっても良く、また、同時であっても良いことを示し、また、先の機能群に属する機能よりも後の機能群に属する機能が先に実行されることは禁止されることを示す。
【００２７】
また、機能分類データ６３ａには、実行順が隣接して前後する二つの機能群内の作業の同一工程への割り当ての有効無効を設定する重複登録可否情報が含まれ、所定の機能群（図２では第三機能群と第四機能群との間）については、重複登録無効の設定が行われている。前述したように、通常は、先の機能群に属する機能よりも後の機能群に属する機能が先に実行されることは禁止されるが、二つの機能群が隣接する場合には、先の機能群に属する機能と後の機能群に属する機能とを同時に実行しても構わない場合がある。そのような場合にはこれら前後の機能群の間で重複登録の有効が設定されている（図２では図示略）。
また、二つの機能群が隣接する場合に、先の機能群に属する機能と後の機能群に属する機能とを必ず別に実行しなければならない場合には、これら前後の機能群の間で重複登録無効の設定が行われる。これにより、これら前後の機能群に属するいずれの機能についても、操作ペダル９２の同じ入力段階で実行される工程に対して割り当てられることがないように、後述する機能設定プログラム６２ｂに基づく機能設定処理が行われる。
このように、機能分類データ６３ａは、割り当てを行う各種の作業についての実行の優先順位を示す内容と重複登録可否情報とからなる実行順情報に相当し、機能分類データ６３ａを記憶するデータメモリ６３は、実行順情報を記憶する実行順記憶手段として機能する。
【００２８】
ペダル機能設定データ６３ｂは、前述した各種の作動装置が実行する各機能Ａ〜Ｉが操作ペダル９２の操作により実行が指令される各工程のいずれに割り当てられているかを示すデータであり、機能設定プログラム６２ａの実行により操作ペダル９２の操作により実行が指令される各工程に各機能の割り当てが行われることにより作成されるデータである。
このペダル機能設定データ６３ｂは、縫製プログラム６２ｂの実行の際に、操作ペダル９２の操作位置が変わるたびに、いずれの機能を実行すべきか参照される。
図３はペダル機能設定データ６３ｂの一例を示す概念図ある。この図３に示す例では、ペダル一段目で実行が指令される工程にダーツ延ばし装置下降Ａ及びバキューム装置吸引Ｂが割り当てられ、ペダル二段目で実行が指令される工程に大押さえ装置前進動作Ｃ及び右側大押さえ装置下降Ｄが割り当てられ、ペダル三段目で実行が指令される工程に左側大押さえ装置下降Ｅが割り当てられ、ペダル四段目で実行が指令される工程にバインダー下降Ｆが割り当てられ、ペダル五段目で実行が指令される工程に右側フラップ押さえ下降Ｇが割り当てられ、ペダル六段目で実行が指令される工程に左側フラップ押さえ下降Ｈが割り当てられ、ペダル七段目で実行が指令される工程に縫製スタートＩが割り当てられている。
【００２９】
機能設定プログラム６２ａは、操作ペダル９２の操作により発生する指令信号毎に縫製作業の一つの工程として割り当てる設定手段としての表示入力手段９１の設定入力操作に従い、各工程に対して各機能Ａ〜Ｉの割り当てを行うと共に、その割り当てに従ってペダル機能設定データ６３ｂを生成する。
割り当ては、実行の優先順位の早い段数から行われ、各工程ごとに割り当てることが可能な機能の機能群を機能群順に一覧を表示入力手段９１により順次表示し、その中から選択を受け付けるようにして行われる。その際、割り当て可能な機能か否かの判断には、前述した機能分類データが参照される。
例えば、一つの工程について設定が行われる場合には、一つの機能群について全ての機能が表示され、次の工程の設定に移行する入力がない限りは一つの機能群の全ての機能を選択の候補として表示し続ける処理が行われる。
また、一つの機能群の全てが選択されても次の工程の設定に移行する入力がない場合には、次の機能群について重複登録無効の設定があるか判定し、ない場合には、次の機能群の全ての機能を選択の候補として表示する。
一方、重複登録の無効の設定がある場合には、次の工程の設定に自動的に移行する処理が行われる。
【００３０】
縫製プログラム６２ｂは、機能設定プログラム６２ａにより生成されたペダル機能設定データ６３ｂを参照しつつ操作ペダルから入力される指令信号に応じて実行が指令される各工程に各機能Ａ〜Ｉを順次実行させる動作制御を行うと共に、縫製データ６３ｃに記憶された玉縁縫いを行うための各種のパラメータを参照しつつ押さえモータ、ミシンモータ、メスモータ、メス昇降シリンの駆動を制御し、縫い目、直線切れ目、コーナー切れ目の形成を行う。
【００３１】
（機能設定プログラムに基づく機能設定処理）
図４は機能設定プログラム６２ｂに基づく機能設定処理を示すフローチャートであり、図５はミシンの縫製データなどの入力を行う通常画面Ｍ１の表示例、図６はミシンの各種の設定の入力を行う調整画面Ｍ２の表示例である。図４に示すフローチャート基づいて機能設定処理を説明する。
【００３２】
玉縁縫いミシン１０では、通常の状態では表示入力手段９１に図５に示す通常画面Ｍ１の表示が行われており、画面Ｍ１中のモード切替ボタンＳ１が押下されると、図６に示す調整画面Ｍ２の表示の表示が行われる。そして、調整画面Ｍ２のペダル設定ボタンＳ２が押下されると、機能設定画面Ｍ３の表示が行われ、機能設定処理が開始される。
【００３３】
まず、機能設定処理では、ＣＰＵ６１は、表示入力手段９１に対して、初期設定として、現在設定を行うペダルの入力段数Ｄ＝１、機能群番号Ｎ＝１、設定すべき各種の機能の表示を全て非表示とする動作制御を実行する（ステップＦ１）。
なお、入力段数とは操作ペダル９２が各工程の実行を指令する指令信号を順次発生する際の各工程に対応する操作ペダル９２の段階的位置を示しており、本実施形態では、第一段目から第七段目まで設定可能である。
【００３４】
次いで、ＣＰＵ６１は、機能分類データ６３ａから第Ｎの機能群に設定されている各種機能を読み出すと共に、当該各機能アイコンを未登録状態で機能設定画面に表示する（ステップＦ２：例えば図７の機能設定画面Ｍ３における機能ボタンＡ〜Ｃ）。
かかる機能アイコンは選択入力を行う機能ボタンとしての機能を有し、機能設定画面中において、未登録状態では縁有り明色で表示され、登録状態では縁有り暗色（網掛け）で表示され、登録確定状態では縁なしで表示される（図７〜図２１の機能ボタンＡ〜Ｉ参照）。
【００３５】
機能設定画面中には、機能ボタンと共に操作ペダル９２の入力段数を次の段数に移行させる次ペダル段数設定ボタン（例えば図７の機能設定画面Ｍ３中の符号Ｓ３）が表示される。また、機能設定画面では、ペダルの入力段数ごとに機能ボタンの表示領域が決まっており、現在設定を行おうとしている入力段数の表示領域に候補となる機能ボタンが並んで表示される。
そして、上記機能設定画面の表示が行われると、現在の機能群番号Ｎが５以上か否かの判定が行われる。これは最終の第５機能群に属する縫製スタートＩの機能については、操作ペダル９１の操作対象から任意に外すことができるように、現在の機能群番号が５に到達した段階で機能設定を完了させるエンターボタン（図１９のエンターボタンＳ４参照）を表示させるか否かを判定するための処理である。
現在の機能群番号Ｎが５以上ではない場合（ステップＦ３：ＮＯ）には、処理をステップＦ６に進め、現在の機能群番号Ｎが５以上である場合（ステップＦ３：ＹＥＳ）には、機能設定画面にエンターボタンの表示を行う（ステップＦ４）。さらに、エンターボタンの押下の有無を判定し、押下されれば（ステップＦ５：ＹＥＳ）機能設定処理は終了となり、押下されなければ（ステップＦ５：ＮＯ）処理をステップＦ６に進める。
【００３６】
ステップＦ６では、ＣＰＵ６１は、次ペダル段数設定ボタンが押されたか否かを判定する。
そして、上記判定により次ペダル段数設定ボタンが押されてない場合（ステップＦ６：ＮＯ）にはステップＦ７に処理を進め、押されている場合（ステップＦ６：ＹＥＳ）にはステップＦ１３に処理を進める。
【００３７】
ステップＦ７では、ＣＰＵ６１は、未登録状態で表示されている機能ボタンのいずれかが押されたか判定し、押されていない場合（ステップＦ７：ＮＯ）にはステップＦ９に処理を進め、押された場合（ステップＦ７：ＹＥＳ）にはそのボタンの表示を登録状態に切り替えてから（ステップＦ８）、ステップＦ９に処理を進める。
【００３８】
ステップＦ９では、ＣＰＵ６１は、現在の第Ｎの機能群に設定されている全ての機能が登録されたか否かを判定し、まだいずれかの機能が未登録であれば（ステップＦ９：ＮＯ）、ステップＦ３に処理を戻す。
また、第Ｎの機能群に設定されている全ての機能が登録された場合には（ステップＦ９：ＹＥＳ）、第Ｎの機能群に設定されている全ての機能についての機能ボタンを登録状態から確定状態の表示に切り替えて（ステップＦ１０）、設定の対象を次の機能群に進めて（Ｎ＝Ｎ＋１）設定された各機能の読み出しを行う（ステップＦ１１）。
このとき、機能分類データ６２ａにおいて、次の機能群について重複登録の無効が設定されているか判定し、設定されていない場合には（ステップＦ１２：ＮＯ）、ステップＦ２に処理を戻し、設定されている場合には（ステップＦ１２：ＹＥＳ）、ステップＦ１４に処理を進める。このステップＦ１４への進行処理により、次ペダル段数設定ボタンが押下されることなく操作ペダル９１の入力段数が自動的に一つ進められることとなる。
【００３９】
一方、ステップＦ６の次ペダル段数設定ボタンの押下判定において押下されていると判定した場合には、第Ｎの機能群に属する機能の内で登録されたものがある場合には、当該登録された機能について確定状態の表示に切り替える（ステップＦ１３）。そして、ステップＦ１４に処理を進める。かかる処理により、同一機能群に属する複数機能を操作ペダル９１の異なる入力段に割り当てることが可能となる。
【００４０】
ステップＦ１４では、設定を行うペダルの入力段数Ｄを１加算する。そして、機能設定画面中では、次の入力段数における表示領域に未登録の機能ボタンを表示する。そして、処理がステップＦ２に戻される。
そして、動作制御手段６０は、ＣＰＵ６１により実行される上記フローチャートの処理により各作業が割り当てられた工程が、操作ペダル９２が発生する指令信号に従って順番に実行されるように、上記大押さえ送り機構１２，バインダー機構２０，針上下動機構２４，メス機構３０，フラップ保持機構４０，バキューム装置５０，ダーツ延ばし装置５４などの駆動源となる各作動装置の動作制御を行って、玉縁縫いを行う。
【００４１】
次に、上記図４に示す機能設定処理に基づいて、図３に示すペダル機能設定データ６３ｂの設定内容を入力する場合の機能設定画面の推移を図７〜図２１に示す。なお、図７〜図２１中に示す矢印Ｐは次画面に移行する際に押されるボタンを説明上表記したものであり、表示入力手段９１において実際に表示されるものではない。
【００４２】
まず、ＣＰＵ６１により、機能分類データ６３ａから第１の機能群に設定されている各種機能が読み出され、ペダルの１段目の表示領域に当該各機能ボタンＡ，Ｂ，Ｃが未登録状態で機能設定画面Ｍ３に表示される（図７：機能設定処理におけるステップＦ２）。
ペダルの１段目にはダーツ延ばし装置下降Ａとバキューム装置吸引Ｂが割り当てられる予定なので、まず機能ボタンＡが押下されて表示が登録状態に切り替えられ（図８の機能設定画面Ｍ４：機能設定処理におけるステップＦ８）、次いで機能ボタンＢが押下されて表示が登録状態に切り替えられる（図９の機能設定画面Ｍ５：機能設定処理におけるステップＦ８）。
【００４３】
次に、機能設定画面Ｍ５における次ペダル段数設定ボタンＳ３が押下されると（機能設定処理におけるステップＦ６：ＹＥＳ）、各機能ボタンＡ，Ｂは確定状態に表示が切り替えられ（機能設定処理におけるステップＦ１３）、まだ未登録の機能ボタンＣはペダルの２段目の表示領域に表示位置が移動される（図１０の機能設定画面Ｍ６：機能設定処理におけるステップＦ１４及びＦ２）。
次に、機能設定画面Ｍ６における機能ボタンＣが押下されると、第１の機能群の機能が全て登録されたこととなるので（機能設定処理におけるステップＦ９：ＹＥＳ）、当該機能ボタンＣは確定状態に表示が切り替えられる（機能設定処理におけるステップＦ１０）。また、機能分類データ６３ａから第２の機能群に設定されている各種機能が読み出され、確定表示の機能ボタンＣと同じペダルの２段目の表示領域に第２機能群の機能ボタンＤ，Ｅが表示される（図１１の機能設定画面Ｍ７：機能設定処理におけるステップＦ２）。
【００４４】
ペダルの２段目には大押さえ装置前進動作Ｃと右側大押さえ装置下降Ｄが割り当てられる予定なので、機能ボタンＤが押下されて表示が登録状態に切り替えられると共に（図１２の機能設定画面Ｍ８：機能設定処理におけるステップＦ８）、機能設定画面Ｍ８における次ペダル段数設定ボタンＳ３が押下される（機能設定処理におけるステップＦ６：ＹＥＳ）。その結果、機能ボタンＤは確定状態に表示が切り替えられ（機能設定処理におけるステップＦ１３）、まだ未登録の機能ボタンＥはペダルの３段目の表示領域に表示位置が移動される（図１３の機能設定画面Ｍ９：機能設定処理におけるステップＦ２）。
【００４５】
次に、機能設定画面Ｍ９における機能ボタンＥが押下されると、第２の機能群の機能が全て登録されたこととなるので（機能設定処理におけるステップＦ９：ＹＥＳ）、当該機能ボタンＥは確定状態に表示が切り替えられる（機能設定処理におけるステップＦ１０）。また、機能分類データ６３ａから第３の機能群に設定されている各種機能が読み出されて、確定表示の機能ボタンＥと同じペダルの３段目の表示領域に第３機能群の機能ボタンＦが表示される（図１４の機能設定画面Ｍ１０：機能設定処理におけるステップＦ２）。
【００４６】
ペダルの３段目には左側大押さえ装置下降Ｅのみが割り当てられる予定なので、機能設定画面Ｍ１０における次ペダル段数設定ボタンＳ３が押下される（機能設定処理におけるステップＦ６：ＹＥＳ）。その結果、まだ未登録の機能ボタンＦはペダルの４段目の表示領域に表示位置が移動される（図１５の機能設定画面Ｍ１１：機能設定処理におけるステップＦ２）。
【００４７】
次に、機能設定画面Ｍ１１における機能ボタンＦが押下されると、第３の機能群の機能が全て登録されたこととなるので（機能設定処理におけるステップＦ９：ＹＥＳ）、当該機能ボタンＦは確定状態に表示が切り替えられる（機能設定処理におけるステップＦ１０）。また、機能分類データ６３ａから第４の機能群に設定されている各種機能が読み出されると共に、重複登録禁止境界設定ありの情報が読み出されて（機能設定処理におけるステップＦ１２：ＹＥＳ）、確定表示の機能ボタンＦの次のペダルの５段目の表示領域に第４機能群の機能ボタンＧ，Ｈが表示される（図１６の機能設定画面Ｍ１２：機能設定処理におけるステップＦ１４を経てステップＦ２）。
【００４８】
ペダルの５段目には右側フラップ押さえ下降Ｇのみが割り当てられる予定なので、機能設定画面Ｍ１３における機能ボタンＧが押下されて表示が登録状態に切り替えられる（図１７の機能設定画面Ｍ１３：機能設定処理におけるステップＦ８）。
次に、機能設定画面Ｍ１３における次ペダル段数設定ボタンＳ３が押下されると（機能設定処理におけるステップＦ６：ＹＥＳ）、機能ボタンＧは確定状態に表示が切り替えられ（機能設定処理におけるステップＦ１３）、まだ未登録の機能ボタンＨはペダルの６段目の表示領域に表示位置が移動される（図１８の機能設定画面Ｍ１４：機能設定処理におけるステップＦ１４を経てステップＦ２）。
【００４９】
次に、機能設定画面Ｍ１４における機能ボタンＨが押下されると、第４の機能群の機能が全て登録されたこととなるので（機能設定処理におけるステップＦ９：ＹＥＳ）、当該機能ボタンＨは確定状態に表示が切り替えられる（機能設定処理におけるステップＦ１０）。また、機能分類データ６３ａから第５の機能群に設定されている各種機能が読み出され、確定表示の機能ボタンＨと同じペダルの６段目の表示領域に第５機能群の機能ボタンＩが表示される（図１９の機能設定画面Ｍ１５：機能設定処理におけるステップＦ２）。
【００５０】
ペダルの６段目には左側フラップ押さえ下降Ｈのみが割り当てられる予定なので、機能設定画面Ｍ１５における次ペダル段数設定ボタンＳ３が押下される（機能設定処理におけるステップＦ６）。
その一方で現在の機能群番号が５に到達したか判定され、達しているので機能設定画面Ｍ１５にエンターボタンＳ４が表示される（機能設定処理におけるステップＦ４）。
また、まだ未登録の機能ボタンＩはペダルの７段目の表示領域に表示位置が移動される（図２０の機能設定画面Ｍ１６）。
【００５１】
ペダルの７段目には縫製スタートＩのみが割り当てられる予定なので、機能設定画面Ｍ１６における機能ボタンＩが押下されて表示が登録状態に切り替えられる（図２１の機能設定画面Ｍ１７：機能設定処理におけるステップＦ８：ＹＥＳ）。
次に、機能設定画面Ｍ１７における機能ボタンＩが押下されると、第５の機能群の機能が全て登録されたこととなるので（機能設定処理におけるステップＦ９：ＹＥＳ）、当該機能ボタンＩは確定状態に表示が切り替えられる（機能設定処理におけるステップＦ１０）。
そして、最終的にはエンターボタンＦ４が押下されて、機能設定が完了する。
【００５２】
（実施形態の効果）
以上のように、玉縁縫いミシン１０では、機能設定プログラム６２ａにより、操作ペダル９２の各入力段数ごとに表示入力手段９１の機能設定画面により任意に各種作業が割り当てられる。そして、縫製時には操作ペダル９２により人為的な入力を受けて入力段が切り替えられることで、各入力段に割り当てられた各種の作業が順次に実行される。
このように順番に推移する各工程が操作ペダルの入力段数の切り替えにより切り替えられ、各工程について任意に作業の割り当てが可能であることから、実行すべき縫いの態様やミシン使用者の作業性向上の要求に応じて、縫いに要する各種作業の順序の選択を自在に行うことが可能となる。また、多くの組み合わせの中から適正なものを選択する必要がないので、各種作業の順序の選択を容易且つ円滑に行うことが可能となる。
【００５３】
また、各種機能を操作ペダル９２の各入力段に設定する作業時において、表示入力手段９１により実行順情報としての機能分類データ６３ａに基づいて選択可能な作業が表示されるので、各入力段に割り当てられる各種作業の順番の適正化を図ることが可能となる。
また、設定作業において、作業が適正に行われるか否かの判断を不要とすることができ、設定作業の容易迅速化を図ることが可能となる。
さらに、機能分類データ６３ａには、同時に実行可能な作業を各機能群の単位で順番の制限を行うので、機能群内での順番の選択の任意性を保ちながら、作業実行の順番の適正化を図ることが可能となる。
さらに、機能分類データ６３ａには、グループである各機能群の境界に重複登録可否情報が含まれているので、順番が連続する機能群に属する機能同士であって、同じ入力段（工程）に割り当てることを回避したいような機能が存在する場合に、割り当ての設定段階でこれを回避でき、各入力段に割り当てられる各種作業の順番のさらなる適正化を図ることが可能となる。
【００５４】
（その他）
図２２，図２３にペダル機能設定データ６３ｂの他の例を示す概念図ある。
図２２に示すように、機能設定プログラム６２ａに基づく機能設定処理では、各機能群の順番が入れ替わらない範囲で各種の機能の順番の入れ替えが可能である。
また、この例のように、最終の機能群に属する機能（本実施形態では「縫製スタートＩ」）については、操作ペダル９２の入力段に割り当てないことも可能である。
即ち、これは、機能設定プログラム６２ａに基づく機能設定処理のステップＦ３〜Ｆ５において、設定の対象が最終の機能群（第５機能群）まで到達すると、エンターボタンＳ４の表示を行い、設定作業を完了させてしまうことが可能であることに起因する。
このように、縫製スタートＩの機能のように、操作ペダル９２による入力を行わないでも他の縫製スタートスイッチなどで実行させることが可能な機能については、エンターボタンＳ４の表示後に設定入力を受け付けるようにすることで、操作ペダル９２の入力段への割り当てを行うか否かを任意に選択させることが可能となる。
【００５５】
また、図２３に示すように、一部の機能（ここではダーツ延ばし装置下降Ａとバキューム装置吸引Ｂ）について割り当てを行わないことも可能である。例えば、ダーツ延ばし装置５４やバキューム装置５０等は、後付けや取り外しが可能なオプション装置であり、操作ペダルの割り当てに組み込まないようする要請がある。そのような場合には、予め、オプション装置に関する情報を含まない機能分類データ６３ａを用意してデータメモリ６３に入力することで実現可能である。従って、データメモリ６３を交換可能なデータ記録媒体としたり、交換可能なデータ記録媒体の読み取り装置をデータメモリ６３に併設しても良い。
【００５６】
なお、上記発明の実施形態では、玉縁縫いミシンを例示したが、操作手段としての操作ペダルにより切り替えられる各工程への各種機能の割り当て設定については、玉縁縫いミシンに限定されるものではなく、種々の作動装置（アクチュエータ、モータ、ソレノイド、エアシリンダ等）を備えて順次作動させる必要性があるあらゆるミシンに適用することが可能である。
また、上記実施の形態では、操作手段としての操作ペダル９２は、踏み込み操作による操作位置に応じて各工程の実行を指令する指令信号を順次出力したが、操作手段の操作回数に応じて各工程の実行を指令する指令信号を出力するようにしても良い。この場合は、例えば、操作手段として操作スイッチを設け、この操作スイッチの１回目の操作では１番目の工程を実行する指令信号を出力し、Ｎ回目の操作手段の操作では、第Ｎ番目の工程を実行する指令信号を出力するようにすれば、簡単な構成の操作スイッチを一つ設けるのみで各工程の実行を指令する指令信号を順次発生させることができる。
また、上記実施の形態では、各作業の割り当ての際に実行順情報に基づいて割り当て可能な機能群のみを機能群の優先順位毎に順次表示したが、割り当て可能な機能群については、他の機能群と識別可能に表示するようにして割り当て可能な機能群と他の機能群とを両方表示するようにしても良い。
【図面の簡単な説明】
【００５７】
【図１】発明の実施形態たる玉縁縫いミシンの全体の概略構成を示すブロック図である。
【図２】機能分類データの内容を示す概念図ある。
【図３】ペダル機能設定データの一例を示す概念図ある。
【図４】機能設定プログラムに基づく機能設定処理を示すフローチャートである。
【図５】表示入力手段における通常画面の表示例である。
【図６】表示入力手段における調整画面の表示例である。
【図７】機能設定処理に基づいて図３に示すペダル機能設定データの設定内容を入力する場合の機能設定画面の推移を示す表示例である。
【図８】機能設定処理に基づいて図３に示すペダル機能設定データの設定内容を入力する場合の機能設定画面の推移を示す表示例である。
【図９】機能設定処理に基づいて図３に示すペダル機能設定データの設定内容を入力する場合の機能設定画面の推移を示す表示例である。
【図１０】機能設定処理に基づいて図３に示すペダル機能設定データの設定内容を入力する場合の機能設定画面の推移を示す表示例である。
【図１１】機能設定処理に基づいて図３に示すペダル機能設定データの設定内容を入力する場合の機能設定画面の推移を示す表示例である。
【図１２】機能設定処理に基づいて図３に示すペダル機能設定データの設定内容を入力する場合の機能設定画面の推移を示す表示例である。
【図１３】機能設定処理に基づいて図３に示すペダル機能設定データの設定内容を入力する場合の機能設定画面の推移を示す表示例である。
【図１４】機能設定処理に基づいて図３に示すペダル機能設定データの設定内容を入力する場合の機能設定画面の推移を示す表示例である。
【図１５】機能設定処理に基づいて図３に示すペダル機能設定データの設定内容を入力する場合の機能設定画面の推移を示す表示例である。
【図１６】機能設定処理に基づいて図３に示すペダル機能設定データの設定内容を入力する場合の機能設定画面の推移を示す表示例である。
【図１７】機能設定処理に基づいて図３に示すペダル機能設定データの設定内容を入力する場合の機能設定画面の推移を示す表示例である。
【図１８】機能設定処理に基づいて図３に示すペダル機能設定データの設定内容を入力する場合の機能設定画面の推移を示す表示例である。
【図１９】機能設定処理に基づいて図３に示すペダル機能設定データの設定内容を入力する場合の機能設定画面の推移を示す表示例である。
【図２０】機能設定処理に基づいて図３に示すペダル機能設定データの設定内容を入力する場合の機能設定画面の推移を示す表示例である。
【図２１】機能設定処理に基づいて図３に示すペダル機能設定データの設定内容を入力する場合の機能設定画面の推移を示す表示例である。
【図２２】ペダル機能設定データの他の例を示す概念図ある。
【図２３】ペダル機能設定データのさらに他の例を示す概念図ある。
【符号の説明】
【００５８】
１０  玉縁縫いミシン
１２  大押さえ送り機構（搬送手段）
２０  バインダー機構
３０  メス機構
３４  コーナーメス機構
４０  フラップ保持機構
５０  バキューム装置
５４  ダーツ延ばし装置
６０  動作制御手段
６１  ＣＰＵ
６３  データメモリ（実行順記憶手段）
６３ａ  機能分類データ（実行順情報）
９１  表示入力手段（設定手段）
９２  操作ペダル（操作手段）
【図１】
2007300970.tif 000003
【図２】
2007300970.tif 000004
【図３】
2007300970.tif 000005
【図４】
2007300970.tif 000006
【図５】
2007300970.tif 000007
【図６】
2007300970.tif 000008
【図７】
2007300970.tif 000009
【図８】
2007300970.tif 000010
【図９】
2007300970.tif 000011
【図１０】
2007300970.tif 000012
【図１１】
2007300970.tif 000013
【図１２】
2007300970.tif 000014
【図１３】
2007300970.tif 000015
【図１４】
2007300970.tif 000016
【図１５】
2007300970.tif 000017
【図１６】
2007300970.tif 000018
【図１７】
2007300970.tif 000019
【図１８】
2007300970.tif 000020
【図１９】
2007300970.tif 000021
【図２０】
2007300970.tif 000022
【図２１】
2007300970.tif 000023
【図２２】
2007300970.tif 000024
【図２３】
2007300970.tif 000025